(57)【要約】【課題】シャッター軸受け部の小型化を図るのに効果的で組み付け性の良い、電子装置における記憶媒体又は電子機器の挿入口のシャッター取付構造を提供することを目的とする。【解決手段】各種電子装置に設けられた、記憶媒体又は電子機器等の挿入口に備えられるシャッターの取付構造において、シャッターに設けたシャフトを回動自在に軸支する軸受け部を、固定片と、固定片に対して所定の隙間を設けて立設した弾性立設片で形成し、固定片と弾性立設片の間に形成したシャフト収納部にシャフトを案内する案内斜面部を当該固定片と弾性立設片の両方の頂面に形成した。【選択図】  図１
2005182569.tif 000002
【特許請求の範囲】
【請求項１】
各種電子装置に設けられた、記憶媒体又は電子機器等の挿入口に備えられるシャッターの取付構造において、シャッターに設けたシャフトを回動自在に軸支する軸受け部を、固定片と、固定片に対して所定の隙間を設けて立設した弾性立設片で形成し、固定片と弾性立設片の間に形成したシャフト収納部に当該シャフトを案内する案内斜面部を当該固定片と弾性立設片の両方の頂面に形成したことを特徴とするシャッターの取付構造。
【請求項２】
前記シャフト収納部を固定片内側に段差部を設けて形成したことを特徴とする請求項１記載のシャッターの取付構造。
【請求項３】
前記固定片内側であって、前記段差部からの固定片立上部側面に、シャフト収納凹部を形成したことを特徴とする請求項２記載のシャッターの取付構造。
【発明の詳細な説明】
【技術分野】
【０００１】
本発明は、メモリカード等の記憶媒体又はＰＣカード等の電子機器等を装着するため、電子装置に設けられた挿入口を閉止するシャッターの取付構造に係る。
【背景技術】
【０００２】
電子装置本体にメモリカード等を挿入装着するため挿入口に設けられるシャッターは、例えば図７に示すように電子装置本体ケース１０２前面を開口して設けられた挿入口１０５に近接して取り付けられる。
この場合に、シャッターを軸支する軸受け１１０を設ける必要があるが、出来るだけケース側壁に近接して形成するのが望ましい。
しかし、シャッター１２０のシャフト１２１をこの軸受けに組み込むためのスペースが必要である。
この組み付け作業性を考慮して、例えば図５に示すような弾性を備えた２つの立設片状の軸受けの間に、シャッターのシャフトを両側の立設片を撓ませて挿入する両側弾性タイプの軸受けが公知である。
この種の軸受け１１０は、図５（イ）に示す様にケース側から弾性を有する２つの立設片１１２を突出させて、その両側の立設片１１２に内側を向いた鉤形状の係止部１１３を形成し、図５（ロ）に示すように立設片１１２の間にシャッター１２０のシャフト１２１を挿入し、図５（ハ）に示すように別途形成したストッパー１１４の上にシャフト１２１を載置し、先端の鉤形状の係止部１１３とストッパー間にシャフト１２１を挟持するものである。
この場合、シャフト１２１を軸受け１１０に取り付ける作業は両側の立設片１１２に案内斜面１１１が設けられていることから、この案内斜面にシャフトを押し込んで取り付ければよく、組み付け作業性は良い。
しかしながら、シャフトを挿入する際に立設片が両側に撓むためのスペースを確保する必要があり、軸受けがその分だけ本体ケースの側壁から内側にずらして配置しなければならず、挿入口の小型化、薄型化のネックとなる。
更には、ストッパー１１４を別部材として設けることも必要であった。
また、図６に示すようにストッパー部１１６ａを一方の立設片に一体的に設け、他方の立設片のみをたわませてシャフトを立設片の間に挿入する片側弾性タイプというものも知られている。
シャフトの装着状態を図６（ハ）に示すように、シャフト１２１は弾性を有する立設片１１５の先端にシャフト１２１上方を覆う大きさの鉤形状の係止部１１７を設け、立設片１１５と弾性変形しない固定片１１６との間に軸支される。
この場合にはストッパー部１１６ａは固定片１１６に一体で設けられ、別部材として設ける必要はないが、シャフトを保持する係止部１１７の大きさをシャフトを十分に覆うように大きくする必要がある。
また、図６（ロ）に示すようにシャッター１２０を軸受け１１０ａに取り付ける際にはシャフト１２１を挟み込む為に、この片側の弾性を有した立設片１１５のみを挿入するシャフトのほぼ直径分撓ませることとなり、この撓み量を確保するために弾性立設片１１５の高さを高くしなければならず、軸受け高さがその分高くなり高さ方向の省スペース化のネックとなる。
また、特開平７−１２１２６５号公報にはカード挿入口にリブを形成し、そのリブにそれぞれ同軸上に貫通係止孔を設け、薄板状のシャッター両端に支持軸を突設して設け、支持軸を貫通孔に取り付ける技術が開示されている。
しかしながらこのように貫通孔を設けて、その貫通孔にシャッターの支持軸を嵌め込む構造では、支持軸を貫通孔に合わせて嵌め込むのに手間がかかり組み付け作業性が良くないという問題がある。
【０００３】
【特許文献１】特開平７−１２１２６５号公報
【発明の開示】
【発明が解決しようとする課題】
【０００４】
本発明は上記技術的課題に鑑みて、シャッター軸受け部の小型化を図るのに効果的で組み付け性の良い、電子装置における記憶媒体又は電子機器の挿入口のシャッター取付構造を提供することを目的とする。
【課題を解決するための手段】
【０００５】
本発明の技術的要旨は、各種電子装置に設けられた、記憶媒体又は電子機器等の挿入口に備えられるシャッターの取付構造において、シャッターに設けたシャフトを回動自在に軸支する軸受け部を、固定片と、固定片に対して所定の隙間を設けて立設した弾性立設片で形成し、固定片と弾性立設片の間に形成したシャフト収納部にシャフトを案内する案内斜面部を当該固定片と弾性立設片の両方の頂面に形成した点である。
【０００６】
薄板状の閉止板であるシャッターの回動軸として形成されるシャフトを有し、電子装置の挿入部内側の開口部縁部付近より立設片状の軸受けを、２つに分割して一方を固定片とし、もう一方を弾性立設片とし、このシャフトを固定片と弾性立設片の間に挟み込むことでシャッターを軸支する。
ここで固定片とは容易には弾性変形しない構造の立設片を意味し、弾性立設片とは弾性変形により撓む構造の立設片を意味する。
例えば、固定片は立ち上げ片状に立設しても挿入口付近の立上げ壁面側面に連結して形成してもよい。
一方、弾性立設片は細く弾性変形により撓みやすく形成されている。
これにより、シャフトを固定片と弾性立設片の間のシャフト収納部へ挿入する際には、固定片と弾性立設片の両方の頂面に設けた案内斜面部にて組み付けやすくなり、弾性立設片のみが撓むこととなる。
この撓み量は、固定片と弾性立設片の間の隙間をシャフトの直径の幅に押し広げる量であり、弾性立設片はあらかじめ設けていた隙間の幅とシャフトの直径との差分だけとなる。
シャフトはシャフト収納部において固定片内側に段差状のストッパー部を設けて規制するのがよい。
また、段差部ストッパー部からの固定片立上部側面や弾性立設片内側を凹ませた形状のシャフト収納凹部を形成すると、凹部の横方向の凹み量分だけ固定片と弾性立設片の隙間が狭くなりシャフトの軸支安定性が向上する。
尚、このシャッター取付構造は電子機器におけるの挿入口全般に適用され、メモリカードやＰＣカード等のカード状の電子機器や、磁気ディスクや光磁気ディスクや磁気テープのカセットなどの記録媒体の挿入口のシャッター構造にも適用される。
【発明の効果】
【０００７】
本発明に係る電子装置の記憶媒体又は電子機器挿入口のシャッター取付構造においては、シャッターのシャフトを挟持する軸受けを固定片と弾性立設片で形成し、その間にシャフト収納凹部を形成してシャフトのストッパー部を形成したので、シャッターのシャフトを挿入する際には弾性立設片だけが撓み、その撓み量は従来に比較して少ないので省スペース化が図れる。
そして、弾性立設片には大きな撓みが必要ないことから弾性立設片の長さは短く出来、小型化を図ることが出来る。
また、固定片にストッパーを別部材ではなく段差部を形成して一体で形成することから構造がシンプルになる。
シャッターの取り付けは、固定片の案内斜面部と弾性立設片の案内斜面部の間に向けてシャフトを押し込むことで容易に行うことが出来、組立作業性が良い。
【発明を実施するための最良の形態】
【０００８】
本発明のシャッター取付構造をメモリカードの挿入口に適用した例で説明する。
図１はメモリカードの挿入口を模式的に示した斜視図を示し、図２はシャッター側面の模式図を示す。
図はわかりやすくするために、ケース内の軸受け部及びシャッターをケースを透視して示し、軸受け部やシャッターは大きく描いてある。
図１（イ）に示すように電子装置１のケース２の正面に配置されているメモリカード挿入口５にはシャッター２０が設けられ、シャッター２０にはシャフト２１が設けられている。
このシャフト２１は挿入口５の内側の縁部５ａ付近から立設した軸受け１０に回動自在に軸支されている。
シャッター２０はシャフト２１の中央部分に取り付けられたトーションバネ６によりバネ付勢され、立設状態となっている。
このシャッター２０を挿入口５より押して開いた状態を図１（ロ）に示す。
図２に示すように、この軸受け１０は挿入口５側の固定片１１とメモリカード挿入方向内側に配置した弾性立設片１２から形成され、固定片１１の挿入口５側の側面はケース２の挿入口側の内壁２ａに連結して形成されて、固定片１１と内壁２ａとの間に空間を必要としない省スペース対応となっている。
これにより図５に示す従来の両側バネタイプのように、軸受けの両側に空間を必要とせず、装置の小型化、薄型化を図ることが出来る。
そして、固定片１１と弾性立設片１２との間には隙間１６が設けられ、シャフト２１がその隙間１６内へ挿入され、固定片内側１１ｃに段差を設けて形成した段差部（ストッパー部）１１ｄからの固定片立上部側面１１ａを凹ませた固定片側シャフト収納凹部１７ａと弾性立設片１２の内側を凹ませた弾性立設片側シャフト収納凹部１７ｂとに囲まれたシャフト収納部１７と隙間１６でシャフト２１を収納する大きさになっている。
シャフト収納部１７にはシャフト２１が収納され、シャッター２０が軸受け１０に連結軸支され、矢印方向に回動自在となっている。
シャッター２０はトーションバネ６によりバネ付勢され、内壁２ａに押し付けられた状態で立設している。
固定片１１と弾性立設片１２には、シャフト２１を隙間１６へ案内するための案内斜面部１１ｅ、１２ｅが形成され、シャッター２０の軸受け１０への組み付け時には、シャフト２１は案内斜面部１１ｅ、１２ｅから下方の隙間１６へと弾性立設片１２を撓ませつつ押し込まれシャフト収納部１７に収納することとなる。
シャフト２１は、固定片１１に段差部１１ｄを形成することでシャフト２１底部が規制されている。
また、シャフト２１の横方向面はシャフト形状に合わせて切り欠かれている固定片１１の固定片側シャフト収納凹部１７ａと弾性立設片１２の弾性立設片側シャフト収納凹部１７ｂにより形成されたシャフト収納部１７にて保持されている。
【０００９】
シャッターのシャフトを軸受けへの組み付けを図３にて以下説明する。
図３（イ）はシャッター２０のシャフト２１を、軸受けに嵌め込む前の状態を示し、図３（ロ）はシャフト２１を軸受けの隙間に挿入進行状態を示し、図３（ハ）はシャフト２１を軸受けに嵌め込み完了状態を示す。
シャフト２１は図３（イ）に示す状態から案内斜面１１ｅ、１２ｅに押し当てられ、両側の案内斜面１１ｅ、１２ｅに案内されて隙間１６へと容易に導かれ、弾性立設片１２を撓ませることにより隙間１６へと押し込まれて図３（ロ）の状態となる。
更にシャフト収納部１７までシャフト２１が押し込まれることで図３（ハ）に示すシャフト収納部１７へ収納した係止状態となる。
図３（ロ）における弾性立設片１２の状態の撓み量は、シャフト２１を固定片１１と弾性立設片１２との間に挿入するために、図３（ハ）における隙間１６の幅Ｂをシャフトの直径Ａまで押し広げる量であり、弾性立設片１２は隙間１６の幅Ｂとシャフトの直径Ａとの差分だけ広がることとなる。
このたわみ量は図６に示す従来の片側バネタイプのほぼシャフトの直径に近い撓み量より小さくなる。
本発明に係るシャッター取り付け構造では、軸受け部を取り付ける位置は挿入口付近であれば良く、その方向も開口方向の上下が逆の状態や横向きの状態でも良い。
図４に電子装置１の挿入口５に、メモリカード３を挿入している状態の模式図を示す。
メモリカード３に押され、シャッター２０はシャフト２１を軸として挿入口内側へ回転する。
【図面の簡単な説明】
【００１０】
【図１】本発明に係るシャッター取付構造を適用したメモリカード挿入口の模式的な斜視図を示し、（イ）はシャッターを閉じた状態を示し、（ロ）はシャッターを押し開いた状態を示す。
【図２】シャッターと軸受け部分を拡大した側面図を示す。
【図３】シャッターのシャフトを軸受けに組み付ける状態の模式図を示し、（イ）は嵌め込む前の状態を示し、（ロ）は挿入進行状態を示し、（ハ）は嵌め込み完了状態を示す。
【図４】メモリカードの挿入口への挿入状態の模式図を示す。
【図５】従来技術の軸受けにシャフトを組み付ける状態の模式図を示し、（イ）は嵌め込む前の状態を示し、（ロ）は挿入進行状態を示し、（ハ）は嵌め込み完了状態を示す。
【図６】従来技術の他の軸受けの例にシャフトを組み付ける状態の模式図を示し、（イ）は嵌め込む前の状態を示し、（ロ）は挿入進行状態を示し、（ハ）は嵌め込み完了状態を示す。
【図７】従来技術の軸受けを使用した挿入口の例を示す。
【符号の説明】
【００１１】
１      電子装置
２      ケース
２ａ    ケースの挿入口側の内壁
３      メモリカード（記憶媒体）
５      挿入口（メモリカード挿入口）
５ａ    挿入口内側の縁部
６      トーションバネ
１０    軸受け部
１１    固定片
１１ａ  段差部からの固定片立上部側面
１１ｂ  固定片頂面
１１ｃ  固定片内側
１１ｄ  段差部（ストッパー部）
１１ｅ  固定片案内斜面
１２    弾性立設片
１２ｂ  弾性立設片頂面
１２ｅ  弾性立設片案内斜面
１６、１６ａ  隙間
１７    シャフト収納部
１７ａ  固定片側シャフト収納凹部
１７ｂ  弾性立設片側シャフト収納凹部
２０    シャッター
２１    シャフト
Ａ      シャフトの直径
Ｂ      隙間の幅
【図１】
2005182569.tif 000003
【図２】
2005182569.tif 000004
【図３】
2005182569.tif 000005
【図４】
2005182569.tif 000006
【図５】
2005182569.tif 000007
【図６】
2005182569.tif 000008
【図７】
2005182569.tif 000009